(57)【特許請求の範囲】
【請求項１】
流体が流入される入口ポート及び前記流体が流出される出口ポートが設けられた弁ハウジングと、前記弁ハウジング内における前記入口ポートと前記出口ポートとの間に配設された弁座と、前記弁ハウジング内における、前記弁座から離間された弁開位置、及び、前記弁座に着座された弁閉位置に移動可能に設けられた弁体と、前記弁体を前記弁開位置及び前記弁閉位置に移動させる、前記弁ハウジングの外側に取り付けられた電磁駆動部と、前記弁体が前記弁閉位置に移動されているとき、前記入口ポートから流入した前記流体をその流量を絞って前記出口ポートから流出させる絞り手段と、を有する絞り弁装置において、
前記電磁駆動部には、略円筒形状の電磁コイル部と、前記電磁コイル部を包持するように配設されたコイルケース部と、が設けられ、
前記コイルケース部には、磁性材料で構成された３つ又は４つの板部が設けられ、これらの板部のうち２つの板部が、前記電磁コイル部をその軸方向に挟むように配置され、残りの板部が、前記電磁コイル部の外周面と対向して配置されるとともに前記２つの板部に連接され、
前記電磁コイル部の外周面と対向して配置された前記板部には、当該板部と前記電磁コイル部の外周面との間に生じた音を前記コイルケース部の外部に逃すように形成された１又は複数の音放出用貫通孔が設けられ、
前記音放出用貫通孔が、帯状に延在されたスリット形状に形成され、
前記音放出用貫通孔の長手方向が、前記電磁コイル部の軸方向に平行に設けられている
ことを特徴とする絞り弁装置。
【請求項２】
前記電磁コイル部の外周面と対向して配置された前記板部には、前記音放出用貫通孔の長手方向の両端部にまたがるブリッジ部が、前記電磁コイル部の外周面から離れる方向に張り出して当該板部と一体に設けられていることを特徴とする請求項１に記載の絞り弁装置。
【請求項３】
前記コイルケースが、１枚の板から形成されていることを特徴とする請求項１又は２に記載の絞り弁装置。
【発明の詳細な説明】
【技術分野】
【０００１】
本発明は、例えば、空気調和機の室内熱交換器を構成する第１熱交換器と第２熱交換器との間に設けられて除湿運転時の冷媒を絞る除湿弁などとして用いられる、絞り弁装置に関する。
【背景技術】
【０００２】
従来、除湿運転機能を有する空気調和機では、室内熱交換器を第１熱交換器と第２熱交換器とで構成して、これら両熱交換器の間に絞り弁装置としての除湿弁を設けている。そして、通常運転時には、除湿弁を弁開して両熱交換器を一体として機能させる。また、除湿運転時には、除湿弁を弁閉して絞り弁装置として機能させ、上流側（高圧側）の第１熱交換器を凝縮器、下流側（低圧側）の第２熱交換器を蒸発器として機能させている。
【０００３】
この種の除湿弁では、絞り効果を得るために除湿弁の狭い絞り通路を流体としての冷媒が流れるので、噴流によって冷媒流が乱れ、これにより、冷媒噴出音が冷媒から弁ハウジングなどに伝搬して、耳障りな冷媒通過音（即ち、流体通過音、例えば、「シュー」、「ヒュー」などの音）が発生してしまうことがある。そして、例えば、特許文献１には、このような冷媒通過音を低減する技術が適用された絞り弁装置が開示されている。
【０００４】
特許文献１で開示されている絞り弁装置（図中、符号８１０で示す）を図５に示す。絞り弁装置８１０は、弁座８１６及び弁体８１７が内側に配設された弁ハウジング８１１を備えている。この弁ハウジング８１１の外側には、弁体８１７を開閉駆動する電磁駆動部としての電磁ソレノイド装置８３０が取り付けられている。
【０００５】
電磁ソレノイド装置８３０は、弁体８１７が固定されたプランジャ８３２を備えている。プランジャ８３２は、弁ハウジング８１１に一体形成されたプランジャチューブ部８３１内をその軸方向に移動可能に設けられており、圧縮コイルばね８３８によって、図中上方（即ち、弁体８１７が弁座８１６から離間する方向）に向けて押す力が加えられている。
【０００６】
また、電磁ソレノイド装置８３０は、プランジャチューブ部８３１の外周面に当該プランジャチューブ部８３１と同心に配設された略円筒形状の電磁コイル部８３５と、金属などの磁性材料で構成された３つの板部をコの字形状に連ねて形成され、電磁コイル部８３５をその軸方向に挟んで包持するように配設されたコイルケース部としての外凾８３６と、をさらに備えている。
【０００７】
そして、電磁ソレノイド装置８３０は、非通電時には、圧縮コイルばね８３８のばね力により弁体８１７を弁座８１６より引き離した弁開位置へ駆動し、通電時には、圧縮コイルばね８３８のばね力に抗して弁体８１７を弁座８１６に着座させる弁閉位置へ駆動する。
【０００８】
また、絞り弁装置８１０は、弁体８１７が弁閉位置にあるときに絞り弁として機能するように構成されている。具体的には、弁体８１７が、その内側を冷媒が流れるように略円筒状に形成され、弁体８１７の内側に絞り通路部材８２３が設けられている。そして、この絞り通路部材８２３を挟むようにして弁体８１７の内側に流体流動音低減用フィルター要素８２１、８２４が設けられており、これら、流体流動音低減用フィルター要素８２１、８２４を設けることによって冷媒通過音など低減していた。
【先行技術文献】
【特許文献】
【０００９】
【特許文献１】特許第４０６４７６２号公報（特開２００４−３７９３号公報）
【発明の概要】
【発明が解決しようとする課題】
【００１０】
しかしながら、上述した絞り弁装置８１０においては、図６に示すように、電磁ソレノイド装置８３０が備える電磁コイル部８３５の外周面８３５ａに対向して外凾８３６の側板部８３７が配置されているので、この側板部８３７における外周面８３５ａに最も近接された箇所（符号Ａで示す）から側板部８３７の両端（符号Ｂ１、Ｂ２で示す）に向かうにしたがって、外周面８３５ａと側板部８３７の内面８３７ａとの間隔が徐々に連続的に広がることによりホーン形状の空間（符号Ｓ１、Ｓ２で示す）が形成されている。そのため、流体流動音低減用フィルター要素８２１、８２４によって冷媒通過音などを低減した場合において残存する微少な振動などが、弁ハウジング８１１を介して外凾８３６に伝搬されると、当該振動による音がホーン形状の空間内に生じて、この音が外周面８３５ａと内面８３７ａとの間で反射され、上記箇所Ａから両端Ｂ１、Ｂ２に向かうにしたがってその振幅が大きくなって（即ち、増幅されて）、冷媒通過音を拡大してしまう恐れがあり、静音性の点で改良の余地があった。
【００１１】
また、このようなフィルターと絞り通路部材（オリフィス）によって冷媒を絞るフィルター方式の絞り弁装置８１０以外にも、例えば、弁体及び弁座（弁座相当品）間に形成された溝によって冷媒を絞る溝方式の絞り弁装置などにおいても、上述したような電磁ソレノイド装置を備える場合には、同様に、静音性の点で改良の余地があった。
【００１２】
そこで、本発明は、電磁駆動部によって流体通過音が増幅されてしまうことを抑制できる絞り弁装置を提供することを目的としている。
【課題を解決するための手段】
【００１３】
請求項１に記載された発明は、上記目的を達成するために、流体が流入される入口ポート及び前記流体が流出される出口ポートが設けられた弁ハウジングと、前記弁ハウジング内における前記入口ポートと前記出口ポートとの間に配設された弁座と、前記弁ハウジング内における、前記弁座から離間された弁開位置、及び、前記弁座に着座された弁閉位置に移動可能に設けられた弁体と、前記弁体を前記弁開位置及び前記弁閉位置に移動させる、前記弁ハウジングの外側に取り付けられた電磁駆動部と、前記弁体が前記弁閉位置に移動されているとき、前記入口ポートから流入した前記流体をその流量を絞って前記出口ポートから流出させる絞り手段と、を有する絞り弁装置において、前記電磁駆動部には、略円筒形状の電磁コイル部と、前記電磁コイル部を包持するように配設されたコイルケース部と、が設けられ、前記コイルケース部には、磁性材料で構成された３つ又は４つの板部が設けられ、これらの板部のうち２つの板部が、前記電磁コイル部をその軸方向に挟むように配置され、残りの板部が、前記電磁コイル部の外周面と対向して配置されるとともに前記２つの板部に連接され、前記電磁コイル部の外周面と対向して配置された前記板部には、当該板部と前記電磁コイル部の外周面との間に生じた音を前記コイルケース部の外部に逃すように形成された１又は複数の音放出用貫通孔が設けられ、前記音放出用貫通孔が、帯状に延在されたスリット形状に形成され、前記音放出用貫通孔の長手方向が、前記電磁コイル部の軸方向に平行に設けられていることを特徴とする絞り弁装置である。
【００１６】
請求項２に記載された発明は、請求項１に記載された発明において、前記電磁コイル部の外周面と対向して配置された前記板部には、前記音放出用貫通孔の長手方向の両端部にまたがるブリッジ部が、前記電磁コイル部の外周面から離れる方向に張り出して当該板部と一体に設けられていることを特徴とするものである。
請求項３に記載された発明は、請求項１又は２に記載された発明において、前記コイルケースが、１枚の板から形成されていることを特徴とするものである。
【発明の効果】
【００１８】
請求項１に記載された発明によれば、コイルケース部が備える３つ又は４つの板部のうち電磁コイル部の外周面と対向して配置された板部に、当該板部と電磁コイル部の外周面との間に生じた音をコイルケース部の外部に逃すように形成された１又は複数の音放出用貫通孔が設けられているので、流体の振動がコイルケース部に伝搬して電磁コイル部の外周面と上記板部との間で音が生じた場合においても、この音が音放出用貫通孔を通り抜けてコイルケース部の外部に逃げていく。そのため、この音が電磁コイル部の外周面と上記板部との間で反射を繰り返すことにより増幅されることを抑制して、静音性を高めることができる。
【００１９】
また、請求項１に記載された発明によれば、音放出用貫通孔が、帯状に延在されたスリット状に形成されているので、スリット状という簡易な形状のため製造が容易であり、そのため、安価な構成によって電磁駆動部で生じた音の増幅を抑制して、静音性を高めることができる。
【００２０】
また、請求項１に記載された発明によれば、スリット状に形成された音放出用貫通孔の長手方向が、電磁コイル部の軸方向に平行に設けられている。ここで、コイルケース部は、磁性材料で構成されているとともに電磁コイル部をその軸方向に挟んでいることにより、電磁コイル部が生じる磁束の通る磁路としても機能して、この磁束が電磁駆動部の外部に漏れることを抑制するとともに弁体の駆動力となる磁力を高めている。そのため、例えば、スリット状の音放出用貫通孔の長手方向が、軸方向に直交する方向に平行に設けられていると、音放出用貫通孔によって磁路の幅が極端に狭くなってしまい磁路としての機能が担保できない恐れがある。これに対して、請求項３に記載された発明のように、スリット状の音放出用貫通孔の長手方向が、軸方向に平行に設けられていると、スリット状の音放出用貫通孔の両側部分が磁路として確保され、コイルケース部の磁路としての機能を担保することができる。
【００２１】
請求項２に記載された発明によれば、電磁コイル部の外周面と対向して配置された板部には、音放出用貫通孔の長手方向の両端部にまたがるブリッジ部が、電磁コイル部の外周面から離れる方向に張り出して当該板部と一体に設けられているので、このブリッジ部についても磁路として確保され、コイルケース部の磁路としての機能をより高い次元で担保することができる。
【図面の簡単な説明】
【００２３】
【図１】本発明に係る絞り弁装置の一実施形態である除湿弁の非通電時（弁開状態）の縦断面図である。
【図２】図１の除湿弁の通電時（弁閉状態）の縦断面図である。
【図３】図１の除湿弁の電磁ソレノイド装置が備える外凾（コイルケース部）における電磁コイル部の外周面と対向された側板部において、（ａ）は、スリット状の音放出用貫通孔が３つ設けられた構成の正面図であり、（ｂ）は、スリット状の音放出用貫通孔が２つ設けられた構成の正面図であり、（ｃ）は、スリット状の音放出用貫通孔が１つ設けられた構成の正面図であり、（ｄ）は、スリット状の音放出用貫通孔が上板部及び下板部に食い込むように延在して設けられた構成の斜視図であり、（ｅ）は、中央に円状の音放出用貫通孔が１つ設けられた構成の正面図であり、（ｆ）は、円状の音放出用貫通孔が複数設けられた構成の正面図であり、（ｇ）は、スリット状の音放出用貫通孔が３つ設けられ、さらに、各音放出用貫通孔に対応してブリッジ部が設けられた構成の斜視図であり、（ｈ）は、電磁ソレノイド装置が備える外凾（コイルケース部）が互いに連接された４つの板部からなる構成の斜視図である。
【図４】図１の除湿弁における作用を説明するための電磁ソレノイド装置の軸方向に直交する方向の断面図である。
【図５】従来の絞り弁装置の通電時（弁閉状態）の断面図である。
【図６】図５の絞り弁装置における作用を説明するための電磁ソレノイド装置の軸方向に直交する方向の断面図である。
【発明を実施するための形態】
【００２４】
（本発明の実施形態）
次に、本発明の絞り弁装置の一実施形態としての除湿弁を、図１〜図４を参照して説明する。
【００２５】
図１は、本発明に係る絞り弁装置の一実施形態である除湿弁の非通電時の縦断面図である。図２は、図１の除湿弁の通電時の縦断面図である。なお、以下の説明における「上下」の概念は図１の図面における上下に対応するものであり、各部材の相対的な位置関係を示すものであって、重力方向との相関はない。
【００２６】
除湿弁（各図中において符号１００で示す）は、本体ケース１及び鍔付き弁座部材２を備えた弁ハウジング１０と、弁体３と、電磁駆動部としての電磁ソレノイド装置６と、を有している。
【００２７】
本体ケース１は、ステンレス綱で構成され、略円筒形状に形成されている。この本体ケース１は、弁室１Ａを形成する大径部１ａと、この大径部１ａと互いの軸が一直線上に並ぶようにして配置された小径部１ｂと、大径部１ａと小径部１ｂとを連結する段差部１ｃと、段差部１ｃにおける大径部１ａ側に向けられた面にろう付けにより固定されたステンレス鋼製のばね受け部１ｄと、を有している。
【００２８】
大径部１ａには、入口ポート１１が穿孔されている。この入口ポート１１には、一次側継手５１が挿入されてろう付けされることにより、該一次側継手５１が大径部１ａに接続されている。すなわち、一次側継手５１は弁室１Ａの側部に連通している。
【００２９】
鍔付き弁座部材２は、ステンレス綱で構成され、上記本体ケース１の大径部１ａより小径の略円筒形状に形成されている。この鍔付き弁座部材２は、円筒状の筒部２ａと、筒部２ａの上端側の開口部に設けられた弁座としての弁座部２ｂと、筒部２ａの下端側の開口部の周縁に設けられた鍔部２ｃと、を有している。
【００３０】
この鍔付き弁座部材２は、本体ケース１の大径部１ａの内周面における下方側の開口部寄りの箇所に、鍔部２ｃの外周縁部が圧入された状態でろう付けにより固定されている。
【００３１】
筒部２ａは、その内周面が出口ポート１２を画定している。この出口ポート１２には、二次側継手５２が挿入されてろう付けされることにより、該二次側継手５２が鍔付き弁座部材２に接続されている。すなわち、二次側継手５２は弁室１Ａの軸線Ｌ方向端部に連通している。
【００３２】
弁座部２ｂは、筒部２ａの一端側の開口部を内側に絞るようにして該筒部２ａより内径が若干小さく形成されている。この弁座部２ｂは、弁室１Ａと出口ポート１２との間で円形の弁ポート１３を画定している。弁座部２ｂの内周面には弁室１Ａ側から弁ポート１３側まで刻まれた複数又は単一の絞り溝２１（図１参照）が形成されている。
【００３３】
弁体３は、薄型（即ち、軸方向の長さの短い）で下方に開口する略カップ形状（有底円筒形状）に形成され、その外周面下部に弁座部２ｂと嵌合されるテーパ面３ａ１を有する弁部３ａと、この弁部３ａより径の小さな円柱状で該弁部３ａと互いの軸が一直線上に並ぶようにして一体形成された弁軸３ｂと、を有している。弁体３は、ステンレス綱で構成されている。
【００３４】
弁体３は、その軸が本体ケース１の軸線Ｌ上に配置されるとともに、当該本体ケース１の軸線Ｌ方向に移動可能になるようにして、弁室１Ａ内及び小径部１ｂの内側にまたがって配置されている。
【００３５】
弁体３は、後述の電磁ソレノイド装置６の動作により、軸線Ｌ方向（図中上下方向）に移動される。これにより、弁部３ａは、弁座部２ｂより離れて弁室１Ａと弁ポート１３の連通を確立する弁開位置（図１の位置）と、弁座部２ｂに着座して弁ポート１３を閉じる弁閉位置（図２の位置）と、の間で移動可能になっている。
【００３６】
電磁ソレノイド装置６は、弁体３を前記弁開位置及び前記弁閉位置に移動させる電磁駆動部として機能するように構成されている。電磁ソレノイド装置６は、本体ケース１の小径部１ｂの内外にその構成部材が配置されている。
【００３７】
電磁ソレノイド装置６は、プランジャ６１と、プランジャばね（弁開ばね）６２と、ふた部材６３と、磁気ガイド部６４と、電磁コイル部６５と、コイルケース部としての外凾７０と、を有している。
【００３８】
プランジャ６１は、磁性材料で構成され、外径が小径部１ｂの内径と略同一のカップ形状（有底円筒形状）に形成されており、プランジャチューブを構成する小径部１ｂ内に軸線Ｌ方向に移動可能に嵌合して設けられている。プランジャ６１の底壁６１ａには、底壁貫通孔６１ｂが設けられており、この底壁貫通孔６１ｂに上述した弁体３の弁軸３ｂの上端がかしめられて固定されている。これにより、プランジャ６１の移動により、弁体３も軸線Ｌ方向に移動する。
【００３９】
プランジャばね６２は、プランジャ６１と上述したばね受け部材１ｄとの間に配設された圧縮コイルばねで構成されている。プランジャばね６２は、プランジャ６１に対して上方（即ち、弁体３が弁座部２ｂから離れる方向）に押す力を加えている。
【００４０】
ふた部材６３は、円板状に形成されており、小径部１ｂの上端開口部に溶接によって気密に固定されている。
【００４１】
磁気ガイド部６４は、例えば鉄などの磁性材料で構成され、内径が小径部１ｂの外径と同一の円筒形状に形成されている。磁気ガイド部６４は、小径部１ｂの外周面における上方側寄りの箇所に該外周面に密着固定して配置されている。磁気ガイド部６４は、その上端６４ａがふた部材６３より上方になるように配置されている。
【００４２】
電磁コイル部６５は、両端にフランジが設けられた円筒形状のコイルボビン（図示なし）と、コイルボビンの外周面に巻回された被覆導線６５ａと、コイルボビン及び被覆導線６５ａを覆うようにして外形が略円筒形状となるように形成された樹脂モールド６５ｂと、を有している。電磁コイル部６５は、小径部１ｂ及び磁気ガイド部６４の外周面に密着固定して配置されている。
【００４３】
外凾７０は、例えば鉄などの磁性材料からなる略矩形状の平板をコの字状に折り曲げて形成されている。外凾７０におけるコの字状の内側には、電磁コイル部６５がその軸方向に挟まれるようにして包持されている。具体的には、外凾７０は、磁性材料で構成された３つの板部である上板部７１、下板部７２及び側板部７３が設けられ、これら３つの板部のうち２つの板部である上板部７１及び下板部７２が、電磁コイル部６５をその軸方向から挟みこむように配置され、残りの１つの板部である側板部７３が、電磁コイル部６５の外周面６６と対向して配置されるとともに上板部７１及び下板部７２に連接されている。下板部７２には、小径部１ｂの外径と略同一径の下板部貫通孔７２ａが設けられている。
【００４４】
外凾７０は、下板部貫通孔７２ａに小径部１ｂが挿通されるとともに、上板部７１における下面７１ａに上記磁気ガイド部６４の上端６４ａが接して配置され、固定金具１５によって本体ケース１に固定されている。これにより、電磁コイル部６５が、その軸方向に挟まれるようにして外凾７０の内側に包持される。このとき、電磁コイル部６５の外周面６６と、外凾７０の側板部７３と、が対向して配置される。
【００４５】
外凾７０の側板部７３は、図３（ａ）に示すように、平面視矩形板状に形成された側板部本体７３ａを有しており、この側板部本体７３ａには、それを貫通して形成された上下方向（即ち、電磁コイル部６５の軸方向）に直線帯状に延在する３本のスリット状の音放出用貫通孔７３ｂが設けられている。
【００４６】
この側板部７３は、図４に示すように、電磁コイル部６５の外周面６６に対向して配置されており、この側板部７３における外周面６６に最も近接された箇所（符号αで示す）から側板部７３の両端（符号β１、β２で示す）に向かうにしたがって、外周面６６と側板部７３の内面７４との間隔が徐々に連続的に広がることによりホーン形状の空間（符号σ１、σ２で示す）が形成されている。また、これら空間σ１、σ２は、音放出用貫通孔７３ｂによって、外凾７０の外部と連通されている。
【００４７】
次に上述した除湿弁１００における、本発明に係る動作（作用）について説明する。
【００４８】
上述した除湿弁１００は、図１に示すように、電磁ソレノイド装置６の非通電時には、プランジャばね６２のばね力により、弁部３ａ（弁体３）が弁座部２ｂより引き離された前記弁開位置になる。また、図２に示すように、電磁ソレノイド装置６の通電時には、プランジャばね６２のばね力に抗してプランジャ６１が外凾７０の下板部７２側に磁気力により移動されて弁部３ａ（弁体３）が弁座部２ｂに着座された前記弁閉位置になる。
【００４９】
弁部３ａが弁閉位置になると、弁座部２ｂの絞り溝２１により弁室１Ａと出口ポート１２とが連通され、一次側継手５１からの流体としての冷媒は、絞り溝２１のみを通過したのち膨張して、二次側継手５２に流れる。これにより、除湿運転時の絞り効果が得られ、つまり、弁部３ａ（弁体３）及び弁座部２ｂによって、絞り手段が構成されている。そして、このとき、冷媒が、一次側継手５１から弁室１Ａに流れ込み、絞り溝２１を通過したのち二次側継手５２に流れることにより、冷媒通過音が発生する。この冷媒通過音による振動が、本体ケース１から固定金具１５などを経由して電磁ソレノイド装置６の外凾７０に伝搬する。
【００５０】
そして、外凾７０に伝搬した振動によって、ホーン形状の空間σ１、σ２内に音が生じ、この音が電磁コイル部６５の外周面６６と側板部７３の内面７４との間で反射されつつ上記箇所αから両端β１、β２に向かって進むが、側板部７３に設けられた音放出用貫通孔７３ｂに至ると当該音放出用貫通孔７３ｂを通り抜けて空間σ１、σ２から外へ逃げていく。これにより、音の増幅を抑制することができる。
【００５１】
本実施形態の除湿弁１００は、冷媒が流入される入口ポート１１及び冷媒が流出される出口ポート１２が設けられた弁ハウジング１０と、弁ハウジング１０内における入口ポート１１と出口ポート１２との間に配設された弁座部２ｂと、弁ハウジング１０内における、弁座部２ｂから離間された弁開位置、及び、弁座部２ｂに着座された弁閉位置に移動可能に設けられた弁体３と、弁体３を弁開位置及び弁閉位置に移動させる、弁ハウジング１０の外側に取り付けられた電磁ソレノイド装置６と、を有し、弁体３が弁閉位置に移動されているとき、入口ポート１１から流入した冷媒をその流量を絞って出口ポート１２から流出させるように弁座部２ｂ及び弁体３（即ち、絞り手段）が構成されている。そして、電磁ソレノイド装置６には、略円筒形状の電磁コイル部６５と、電磁コイル部６５を包持するように配設された外凾７０と、が設けられ、外凾７０には、磁性材料で構成された３つの板部である上板部７１、下板部７２及び側板部７３が設けられ、これら３つの板部のうち２つの板部である上板部７１及び下板部７２が、電磁コイル部６５をその軸方向に挟むように配置され、残りの１つの板部である側板部７３が、電磁コイル部６５の外周面６６と対向して配置されるとともに上板部７１及び下板部７２に連接され、電磁コイル部６５の外周面６６と対向して配置された側板部７３には、当該側板部７３と電磁コイル部６５の外周面６６との間に生じた音を外凾７０の外部に逃すように形成された３つの音放出用貫通孔７３ｂが設けられている。
【００５２】
また、音放出用貫通孔７３ｂが、帯状に延在されたスリット状に形成されている。
【００５３】
また、音放出用貫通孔７３ｂの長手方向が、電磁コイル部６５の軸方向に平行に設けられている。
【００５４】
本実施形態によれば、外凾７０が備える３つの板部のうち電磁コイル部６５の外周面６６と対向して配置された側板部７３には、当該側板部７３と電磁コイル部６５の外周面６６との間に生じた音を外凾７０の外部に逃すように形成された複数の音放出用貫通孔７３ｂが設けられているので、冷媒の振動が外凾７０に伝搬して電磁コイル部６５の外周面６６と側板部７３との間で音が生じた場合においても、この音が音放出用貫通孔７３ｂを通り抜けて外凾７０の外部に逃げていく。そのため、この音が電磁コイル部６５の外周面６６と側板部７３との間で反射を繰り返すことにより増幅されることを抑制して、静音性を高めることができる。
【００５５】
また、音放出用貫通孔７３ｂが、帯状に延在されたスリット状に形成されているので、スリット状という簡易な形状のため製造が容易であり、そのため、安価な構成により電磁ソレノイド装置６で生じた音の増幅を抑制して、静音性を高めることができる。
【００５６】
また、スリット状に形成された音放出用貫通孔７３ｂの長手方向が、電磁コイル部６５の軸方向に平行に設けられている。ここで、外凾７０は、磁性材料で構成されているとともに電磁コイル部６５をその軸方向に挟んでいることにより、電磁コイル部６５が生じる磁束の通る磁路としても機能して、この磁束が電磁ソレノイド装置６の外部に漏れることを抑制するとともに弁体３の駆動力となる磁力を高めている。そのため、例えば、スリット状の音放出用貫通孔７３ｂの長手方向が、軸方向に直交する方向に平行に設けられていると、音放出用貫通孔７３ｂによって磁路の幅が極端に狭くなってしまい磁路としての機能が担保できない恐れがある。これに対して、本実施形態のように、スリット状の音放出用貫通孔７３ｂの長手方向が、電磁コイル部６５の軸方向に平行に設けられていると、音放出用貫通孔７３ｂの両側部分が磁路として確保され、外凾７０の磁路としての機能を担保することができる。
【００５７】
上述した実施形態では、外凾７０の側板部７３の音放出用貫通孔７３ｂとして、図３（ａ）に示すように、電磁コイル部６５の軸方向（上下方向）に直線帯状に延在する３本のスリット状に形成されたものであったが、これに限定されるものではない。
【００５８】
このような形状以外にも、音放出用貫通孔７３ｂは、例えば、図３（ｂ）、（ｃ）に示すように、上下方向に直線帯状に延在する２本又は１本のスリット状に形成されていてもよい。または、図３（ｄ）に示すように、音放出用貫通孔７３ｂは、側板部７３からさらに上下方向に延びて上板部７１及び下板部７２ｂに食い込むように延在するスリット状に形成されていてもよい。このような形状としても、上述した実施形態で採用した図３（ａ）に示す形状と同様の効果を奏することができる。または、図示はしていないが、上下方向以外に帯状に延在するスリット状に形成されていてもよい。また、直線帯状のスリット形状に限らず、曲線帯状（例えば、円弧、Ｓ字状、複数の直線を連ねた形状など）のスリット状などであってもよい。
【００５９】
または、音放出用貫通孔７３ｂは、例えば、図３（ｅ）、（ｆ）に示すように、１又は複数の平面視円状に形成されていてもよい。音放出用貫通孔７３ｂを、このような円状に形成した場合、円状という簡易な形状のため製造が容易であり、そのため、安価な構成によって電磁ソレノイド装置６で生じた音の増幅を抑制して、静音性を高めることができる。また、音放出用貫通孔７３ｂは、スリット形状、円状以外の形状でもよく、本発明の目的に反しない限り、その形状のその数は任意である。
【００６０】
また、上述した実施形態では、外凾７０の側板部７３に音放出用貫通孔７３ｂのみが設けられた構成であったが、これ以外にも、外凾７０の側板部７３は、図３（ｇ）に示すように、側板部本体７３ａを貫通して形成された上下方向に直線帯状に延在するスリット状の音放出用貫通孔７３ｂ（図においては３本）が設けられ、さらに、音放出用貫通孔７３ｂに対応してその両端部にまたがるブリッジ部７３ｃが、電磁コイル部６５の外周面６６から離れる方向に張り出して側板部本体７３ａと一体に設けられていてもよい。
【００６１】
このようなブリッジ部７３ｃを設けることにより、このブリッジ部７３ｃについても磁路として機能させることができ、外凾７０の磁路としての機能をより高い次元で担保することができる。
【００６２】
また、上述した実施形態では、外凾７０に、３つの板部である上板部７１、下板部７２及び側板部７３が設けられたものであったが、これに限定されるものではない。
【００６３】
例えば、図３（ｈ）に示すように、外凾７０には、磁性材料で構成された４つの板部である上板部７１、下板部７２、側板部７３及び他の側板部７５が設けられ、これら４つの板部のうち２つの板部である上板部７１及び下板部７２が、電磁コイル部６５をその軸方向から挟み込むように配置され、残りの板部である側板部７３及び他の側板部７５が、電磁コイル部６５の外周面６６と対向して配置されるとともにそれぞれが上板部７１及び下板部７２に連接されているものであってもよい。つまり、外凾７０には、磁性材料で構成された３つ又は４つの板部が設けられ、これら複数の板部のうち２つの板部が、電磁コイル部６５をその軸方向に挟むように配置され、残りの板部が、前記電磁コイル部の外周面と対向して配置されるとともに前記２つの板部に連接されたものであってもよい。
【００６４】
そして、図３（ｈ）においては、側板部７３及び他の側板部７５が、電磁コイル部６５を間に挟んで互いに対向して配置されている。側板部７３には、スリット状の音放出用貫通孔７３ｂが設けられており、他の側板部７５にも、同様に、スリット状の音放出用貫通孔７５ｂが設けられている。このような構成としても、上述した実施形態の構成と同様の効果を奏することができる。図３（ｈ）において、側板部７３及び他の側板部７５は、例えば、図３（ａ）〜（ｆ）に示された構成や、これら以外の形状及び個数の音放出用貫通孔７３ｂ、７５ｂが設けられた構成でもよく、又は、図３（ｇ）のようにブリッジ部が設けられた構成でもよく、本発明の目的に反しない限り、側板部７３及び他の側板部７５の構成は任意である。
【００６５】
また、上述した実施形態では、弁閉時に冷媒を絞る絞り溝２１は弁座部２ｂ側に形成しているが、この絞り溝は弁部３ａ側に形成してもよい。
【００６６】
また、上述した実施形態では、弁体及び弁座（弁座相当品）間に形成された溝によって冷媒を絞る溝方式の絞り弁装置に本発明を適用した構成について説明するものであったが、これに限定されるものではなく、図５に示すようなフィルターと絞り通路部材（オリフィス）によって冷媒を絞るフィルター方式の絞り弁装置８１０に本発明を適用してもよい。
【００６７】
また、上述した実施形態では、除湿弁１００における弁ハウジング１０や弁体３などの主な構成部材が、ステンレス綱で構成されていたが、これに限定されるものではなく、本発明の目的に反しない限り、除湿弁１００の構成部材の材料は任意である。
【００６８】
なお、前述した実施形態は本発明の代表的な形態を示したに過ぎず、本発明は、実施形態に限定されるものではない。即ち、本発明の骨子を逸脱しない範囲で種々変形して実施することができる。
【実施例】
【００６９】
（本発明の効果の検証）
本発明者らは、以下の実施例１〜３及び比較例１、２に示す除湿弁を作製して、これら除湿弁を用いて、本発明の効果について検証を行った。
【００７０】
（実施例１）
上述した実施形態に示した除湿弁１００を作製した。この除湿弁１００においては、電磁ソレノイド装置６の外凾７０の側板部７３に、図３（ａ）に示す電磁コイル部６５の軸方向（上下方向）に帯状に延在する３本のスリット形状に形成された音放出用貫通孔７３ｂが設けられている。この音放出用貫通孔７３ｂの空間率（開口面積率ともいう）Ｖが１４．６％に設定されている。この空間率Ｖは、音放出用貫通孔７３ｂの合計面積をＳ１、側板部７３の内面７４の面積（但し、音放出用貫通孔７３ｂが設けられた箇所についても当該面積に含む）をＳ２としたとき、Ｖ＝（Ｓ１／Ｓ２）×１００［％］で算出される。
【００７１】
（実施例２）
実施例１の除湿弁１００において、３本のスリット形状の音放出用貫通孔７３ｂに代えて、図３（ｂ）に示す電磁コイル部６５の軸方向（上下方向）に帯状に延在する２本のスリット形状に形成された音放出用貫通孔７３ｂが設けられていること以外は、実施例１と同一の構成の除湿弁を作製した。この実施例２の除湿弁における空間率Ｖは１４．４％に設定されている。
【００７２】
（実施例３）
実施例１の除湿弁１００において、３本のスリット形状の音放出用貫通孔７３ｂに代えて、図３（ｃ）に示す電磁コイル部６５の軸方向（上下方向）に帯状に延在する１本のスリット形状に形成された音放出用貫通孔７３ｂが設けられていること以外は、実施例１と同一の構成の除湿弁を作製した。この実施例３の除湿弁における空間率Ｖは７．２％に設定されている。
【００７３】
（比較例１）
実施例１の除湿弁１００において、側板部７３が、音放出用貫通孔７３ｂの設けられていない平板形状に構成されていること以外は、実施例１と同一の構成の除湿弁を作製した。この比較例１の除湿弁における空間率Ｖは０％である。
【００７４】
（比較例２）
実施例１の除湿弁１００において、側板部７３の内面７４に、各音放出用貫通孔７３ｂを塞ぐようにしてアルミニウムテープ（厚さ０．０５ｍｍ）を貼付した以外は、実施例１と同一の構成の除湿弁を作製した。この比較例２の除湿弁における空間率Ｖは、実施例１と同じく１４．６％であるが、各音放出用貫通孔７３ｂの内面側開口がアルミニウムテープで塞がれているので、実質的には０％とみなすことができる。
【００７５】
（検証）
実施例１〜３及び比較例１、２の除湿弁を室内調和機に組み込み、これら除湿弁を弁閉して絞り弁として機能させたときの当該除湿弁付近の騒音レベルを測定した。そして、比較例１における騒音レベルを基準としたときの各実施例１〜３及び比較例２の騒音レベルを表１に示す。
【００７６】
【表１】
0005627631.tif 000002
【００７７】
比較例１の騒音レベルを０ｄＢとしたとき、実施例１の騒音レベルは「−３ｄＢ」、実施例２の騒音レベルは「−２．５ｄＢ」、実施例３の騒音レベルは「−２ｄＢ」、比較例２の騒音レベルは「０ｄＢ」となった。このことから、音放出用貫通孔７３ｂのない比較例１の除湿弁に比較して、音放出用貫通孔７３ｂが設けられた実施例１〜３の除湿弁の方が、騒音レベルが低下していることが確認できた。また、実施例１〜３においても、空間率Ｖが大きいほど騒音レベルが低下する傾向があることが確認できた。そして、比較例２は、実質的に空間率Ｖが０％となるため、比較例１の騒音レベルと変わらないことが確認できた。
【００７８】
このような音が低減されるメカニズムとして、（１）音放出用貫通孔７３ｂを設けることにより、外凾７０の共振周波数が変化すること、（２）音放出用貫通孔７３ｂを設けることにより、この音放出用貫通孔７３ｂから電磁コイル部６５の外周面６６と側板部７３の内面７４との間で反響された音が外凾７０の外部に逃げていくこと、の２つが主に考えられる。
【００７９】
そして、比較例２の構成は、実施例１の除湿弁において単に音放出用貫通孔７３ｂを薄いアルミニウムテープで塞いだだけの構成であるため、実施例１とほぼ同一の共振周波数でかつ音が逃げる貫通孔のない構成となっており、このような構成の比較例２において、音放出用貫通孔７３ｂを設けない構成の比較例１と同一の結果が得られている。このことから、音の低減には、上記（２）が大きく寄与しているものと考えられる。
【００８０】
したがって、上記実施例１〜３及び比較例１、２を用いた検証の結果によって、本発明による効果が確認された。
【符号の説明】
【００８１】
１        本体ケース
１Ａ      弁室
１０      弁ハウジング
１１      入口ポート
１２      出口ポート
１３      弁ポート
２        弁座部材
２ｂ      弁座部（弁座、絞り手段）
３        弁体（弁体、絞り手段）
６        電磁ソレノイド装置（電磁駆動部）
６１      プランジャ
６５      電磁コイル部
６６      電磁コイル部の外周面
７０      外凾（コイルケース部）
７１      上板部
７２      下板部
７３      側板部（電磁コイル部の外周面と対向して配置された１つの板部）
７３ｂ    音放出用貫通孔
７３ｃ    ブリッジ部
１００    除湿弁（絞り弁装置）
Ｌ        軸線Ｌ
【図１】
0005627631.tif 000003
【図２】
0005627631.tif 000004
【図３】
0005627631.tif 000005
【図４】
0005627631.tif 000006
【図５】
0005627631.tif 000007
【図６】
0005627631.tif 000008